(57)【要約】【課題】スプリングのヘタリやハンドルの破損や本体の破損などの防止を図ることのできる電気掃除機を提供する。【解決手段】掃除機本体と、この掃除機本体に上下動可能に設けられたハンドルとを備え、このハンドルが下降して前記掃除機本体の上面に設けた収納凹部にハンドルの把手部が収納されて収納位置に位置され、この収納位置からハンドルが上方に引き出されるとハンドルの把手部が掃除機本体の上面から突出するようになっている電気掃除機であって、前記ハンドルを収納位置より下方に移動可能にし、このハンドルを収納位置に位置させる方向にハンドルを付勢するスプリング１０４を設け、ハンドルが収納位置から上方に引き出された際にスプリング１０４が圧縮し、このスプリング１０４が伸長してハンドルを収納位置に位置させ、ハンドルが収納位置より下方に移動する際にその伸長したスプリング１０４が圧縮する。【選択図】  図１５
2004180731.tif 000002
【特許請求の範囲】
【請求項１】
掃除機本体と、この掃除機本体に上下動可能に設けられたハンドルとを備え、このハンドルが下降して前記掃除機本体の上面に設けた収納凹部にハンドルの把手部が収納されて収納位置に位置され、この収納位置からハンドルが上方に引き出されるとハンドルの把手部が掃除機本体の上面から突出するようになっている電気掃除機であって、
前記ハンドルを収納位置より下方に移動可能にし、
このハンドルを収納位置に位置させる方向にハンドルを付勢するスプリングを設け、
ハンドルが収納位置から上方に引き出された際に前記スプリングが圧縮し、このスプリングが伸長してハンドルを収納位置に位置させ、ハンドルが収納位置より下方に移動する際にその伸長したスプリングが圧縮することを特徴とする電気掃除機。
【請求項２】
前記スプリングの上端に当接する第１上当接部と、そのスプリングの下端に当接する第１下当接部とを前記ハンドルに設け、
前記スプリングの上端に当接する第２上当接部と、そのスプリングの下端に当接する第２下当接部とを掃除機本体側に設け、
前記ハンドルが収納位置に位置している際、第２下当接部がスプリングの下端に当接してスプリングを保持し、ハンドルの第１上当接部がそのスプリングの上端に当接してそのハンドルがスプリングに保持され、
前記ハンドルが収納位置から下方に押し下げられる際に、第２下当接部に保持されたスプリングが第１上当接部により圧縮され、
前記ハンドルを収納位置から上方へ引き上げられていく際に、ハンドルの第１上当接部がスプリングの上端から離間するとともにハンドルの第１下当接部がスプリングの下端に当接して第２下当接部からスプリングを外して保持し、この後、ハンドルの第１下当接部に保持されたスプリングの上端が第２上当接部に当接して、ハンドルの上方への引き上げとともにスプリングが圧縮されることを特徴とする請求項１に記載の電気掃除機。
【請求項３】
前記掃除機本体はコードリールを内蔵し、
前記ハンドルが収納位置から下方に押し下げられた際に、そのコードリールのロックが解除されることを特徴とする請求項１または請求項２に記載の電気掃除機。
【発明の詳細な説明】
【０００１】
【発明の属する技術分野】
この発明は、掃除機本体に上下動可能にハンドルを設け、ハンドルを下降させて掃除機本体の上面に設けた収納凹部に収納させ、この収納凹部からハンドルを上方に引き出せるようにした電気掃除機に関する。
【０００２】
【従来の技術】
従来から図１９および図２０に示す電気掃除機が知られている（特許文献１参照）。
【０００３】
かかる電気掃除機にあっては、掃除機本体２００の上面にハンドル２０１が上下動可能に設けられている。このハンドル２０１の把手部２０１Ａは掃除機本体２００の上面に形成した収納凹部２０２に収納されるようになっている。また、収納凹部２０２の両側には上下方向に延びた穴２０３が形成され、この穴２０３にはハンドル２０１の脚部２０１Ｂが上下動可能に配置されている。脚部２０１Ｂにはスプリング２０４が配置され、スプリング２０４の上端が把手部２０１Ａに係止され、スプリング２０４の下端が穴２０３の底部２０５に係止されている。そして、スプリング２０４はハンドル２０１の把手部２０１Ａが収納凹部２０２に収納されるように付勢しており、そのハンドル２０１の把手部２０１Ａを収納凹部２０２から上方に引き出して手で持っている場合、その手を把手部２０１Ａから離せば、スプリング２０４の付勢力により、ハンドル２０１が下方に移動してハンドル２０１の把手部２０１Ａが収納凹部２０２に強制的に収納されるようになっている。
【０００４】
【特許文献１】
実開昭５５−７８０５０号公報
【０００５】
【発明が解決しようとする課題】
しかしながら、このような電気掃除機にあっては、ハンドル２０１を上方に引き出せばスプリング２０４は伸びるので、そのスプリング２０４はヘタり易く、スプリング２０４の寿命が短くなる虞があった。また、ハンドル２０１の把手部２０１Ａを収納凹部２０２から上方に引き出した位置から手を把手部２０１Ａから離すと、スプリング２０４の付勢力により、ハンドル２０１の把手部２０１Ａが収納凹部２０２の底部２０２Ａや、ハンドル２０１の脚部２０１Ｂの下部が穴２０３の底部２０５に衝突するので、衝撃音が発生する他にそれら底部２０２Ａ，２０５やハンドル２０１の把手部２０１Ａや脚部２０１Ｂが破損する虞等の問題があった。
【０００６】
この発明の目的は、スプリングのヘタリやハンドルの破損や本体の破損などの防止を図ることのできる電気掃除機を提供することにある。
【０００７】
【課題を解決するための手段】
上記目的を達成するため、この発明は、掃除機本体と、この掃除機本体に上下動可能に設けられたハンドルとを備え、このハンドルが下降して前記掃除機本体の上面に設けた収納凹部にハンドルの把手部が収納されて収納位置に位置され、この収納位置からハンドルが上方に引き出されるとハンドルの把手部が掃除機本体の上面から突出するようになっている電気掃除機であって、
前記ハンドルを収納位置より下方に移動可能にし、
このハンドルを収納位置に位置させる方向にハンドルを付勢するスプリングを設け、
ハンドルが収納位置から上方に引き出された際に前記スプリングが圧縮し、このスプリングが伸長してハンドルを収納位置に位置させ、ハンドルが収納位置より下方に移動する際にその伸長したスプリングが圧縮することを特徴とする。
【０００８】
【発明の実施の形態】
以下、この発明の実施の形態を図面に基づいて説明する。
［構成］
図１（ａ），図２において、１は電気掃除機の掃除機本体である。この掃除機本体１は、図２に示したように下ケース２と、下ケース２の上に取り付けられた中ケース３と、中ケース３の後部を覆うように下ケース２及び中ケース３上に取り付けられた上ケース４と、中ケース３の前端部に上下回動可能に取り付けられたカバー５を有する。
【０００９】
また、図１（ａ）において、６はカバー５の前端部に設けられた接続パイプ部、７は一端部が接続パイプ部６に接続された可撓性で蛇腹状の集塵ホース、８は集塵ホース７の他端部に取り付けられた手元操作パイプである。この手元操作パイプ８には、延長パイプ９を介して吸込口体１０が接続されている。８ａは手元操作パイプ８に設けられた操作パネルである。
【００１０】
更に、下ケース２と上ケース４との間は、図２に示したように中ケース３の仕切壁部３ａにより上部の送風機室１１と下部のコードリール室１２とに区画されている。この送風機室１１の前端は、前側に開放していると共に、この開放端に取り付けられた端壁（前壁）である格子板（隔壁）１３により閉成されている。しかも、送風機室１１は、図１に示したように上ケース４の側壁４ａに形成した多数の排気孔１４を介して大気と連通している。
【００１１】
この格子板１３の上部には、図２に示したように送風機室１１内に突出するファン支持用の筒部１５が設けられていると共に、筒部１５に連通する格子部１６が設けられている（図９〜図１１参照）。この筒部１５の両側部には図１１に示したように上下に延びる平坦なガイド側壁１５ａ，１５ａが設けられていて、筒部１５は小判形状に形成されている。１６ａは格子部１５に設けられた連通風路（吸込風路）である。また、格子板１３の下部には、後方に突出する小径の筒部１３ａが一体に形成されていると共に、筒部１３ａに同心に開口する軸挿通孔１３ｂが形成されている。
【００１２】
そして、送風機室１１内には図２に示したように電動送風機１７が配設されている。この電動送風機１７は、前側の遠心ファン部１８と、遠心ファン部１８を駆動するモータ部１９を有する。１８ａは遠心ファン部１８のエア吸込口、１９ａはモータ部１９の排気口である。この遠心ファン部１８は環状の弾性部材（緩衝部材）２０を介して中ケース３内に支持され、弾性部材２０は筒部１５の端面に当接支持させられている。これにより遠心ファン部１８は、エア吸込口１８ａが筒部１５内に開口して、格子部１６との間に吸込風路としての負圧室２１を形成している。
【００１３】
また、図２に示したように、コードリール室１２内には支持軸２２が上下に向けて配設され、支持軸２２の上端部には図示しないターミナルリング用の取付板２３及びそのカバー２４が固定されている（図１３参照）。この取付板２３及びカバー２４は仕切壁３ａに取り付けられて、支持軸２２の上端部を仕切壁３ａに保持している。また、支持軸２２の下端部は下ケース２の底壁２ａに取り付けられている。
【００１４】
この支持軸２２には、図１０〜図１３に示したようなコードリール２５が図２の如く水平回転自在に取り付けられている。このコードリール２５は、図示を省略した渦巻バネ等の回転付勢手段で一方向（コード巻取方向）に回転付勢されている。
【００１５】
このコードリール２５は、コード巻き取り用のドラム部２６と、ドラム２６の両端部（上下端部）に設けられた上フランジ２７及び下フランジ２８を有する。この上フランジ２７の上面の周縁部には周方向に多数の歯を環状に配列した大径の駆動ギヤ２９が設けられている。このコードリール２５には、電動送風機１７に駆動電力を供給する電源コード３０が上述した回転付勢手段の回転付勢力により巻き取り捲回されている。この電源コード３０は図１（ｂ）に示したように下ケース２の後部に設けられたコード引出口２ｂから外部に引き出し可能に設けられている。
【００１６】
また、取付板２３には、図１１に示したようなブレーキ装置３１が取り付けられている。このブレーキ装置３１は、取付板２３の支持軸２３ａに水平回動可能に保持されたブレーキアーム３２と、このブレーキアーム３２の自由端部に取り付けられた図示しないブレーキローラ（図示せず）と、ブレーキアーム３２を回動付勢してブレーキローラを上フランジ２７の周面に圧接させるスプリングを有する。
【００１７】
このブレーキ装置３１では、通常、ブレーキアーム３２を回動付勢しているスプリングのバネ力とコードリール２５を回転付勢している回転付勢手段のバネ力とにより、ブレーキローラがブレーキアーム３２と上フランジ２７との間に楔状に食い込むことで、コードリール２５の回転がロックされるようになっている。そして、このブレーキ装置３１では、下ケース２から後方に引き出し可能に設けられた電源コード３０を引いて、コードリール２５をその回動付勢手段のバネ力に抗して回転させることにより、ブレーキローラがコードリール２５の回転方向に僅かに移動させられて、ブレーキローラがブレーキアーム３２と上フランジ２７との間に楔状に食い込んだ状態が解除されることにより、ブレーキローラの上フランジ２７への圧接状態が解除される様になっている。尚、電源コード３０から引き出し力を解除すると、コードリール２５が回転付勢手段により電源コード３０を巻き取る方向に僅かに回転して、ブレーキローラがブレーキローラがブレーキアーム３２と上フランジ２７との間に楔状に食い込んでロックし、コードリール２５の回転を停止させ、電源コード３０を引き出した状態にするようになっている。このブレーキ装置３１の構成としては周知のもの例えば特開平６−４６９７４号公報に開示された様なものが採用できる。
【００１８】
更に、掃除機本体１には、上ケース４の前端部に所定範囲内で上下動自在に装着されて、上ケース４の上面から上方に所定量だけ引き出し自在なハンドル３３が設けられている。このハンドル３３は、上部の円弧状の握り部（把手部）３４と、握り部３４の両端部に下方に向けて一体に連設したガイド部（脚部）３５，３５から逆Ｕ字状に形成されている。尚、このガイド部３５，３５は、格子板１３の筒部１５に設けたガイド側壁１５ａ，１５ａの両側に配設されて、上下動可能に設けられている。
【００１９】
また、上ケース４の上面には収納凹部１５０が形成され、この収納凹部１５０にハンドル３３の握り部３４が収納され、その上面から握り部３４が突出しないようになっている。
【００２０】
そして、一方のガイド部３５の下端部には、前側上方に向けて傾斜する傾斜カム面３５ｂが形成されている。この傾斜カム面３５ｂは、ブレーキアーム３２に上方から係合していて、ハンドル３３を下方に押し下げたときに、ブレーキアーム３２を支持軸２３ａを中心にスプリング（図示せず）のバネ力に抗して格子壁１３側に回動させて、図示しないブレーキローラを上フランジ２７から離反させ、コードリール２５のロック状態を解除するようになっている。これにより、コードリール２５は、回動付勢手段により電源コード３０を巻き取る方向に回転させられるようになっている。
【００２１】
ハンドル３３の各ガイド部３５の外側面の両側端部には上下方向に延びた一対のリブ１００，１００が形成され、そのガイド部３５の下端部には外方に突出した台座部（第１下当接部）１０２が形成されている。台座部１０２の前端には上下が開放された凹部１０２Ａが形成されている。また、ハンドル３３には台座部１０２の上方であって且つリブ１００，１００間に上下方向に延びたリブ（第１上当接部）１０３が形成されており、このリブ１０３と台座部１０２との間にはスプリング１０４が配置されている。スプリング１０４の上端はリブ１０３の下端部１０３Ａに当接している。
【００２２】
ハンドル３３の台座部１０２の凹部１０２Ａには上下に延びた板状のバネ受部（第２下当接部）１０５が入っており、このバネ受部１０５が凹部１０２Ａから上方に突出していて、図１４および図１５に示すようにバネ受部１０５の上部１０５Ａにスプリング１０４の下端が当接してスプリング１０４がバネ受部１０５に保持されている。このバネ受部１０５は中ケース３の底壁部３Ａに形成されている。この底壁部３Ａには、ハンドル３３のガイド部３５の傾斜カム面３５ｂが挿入する孔３Ｂが形成され、この孔３Ｂの下方にコードリール２５のブレーキアーム３２が配置されている。
【００２３】
また、ハンドル３３のリブ１０３の下端部１０３Ａより上方の位置に板状の一対の当接部（第２上当接部）１０６，１０６が設けられており、この当接部１０６，１０６間にリブ１０３が入り込んでいる。この当接部１０６，１０６は上下方向に延びた支持部材１０７を介して中ケース３の底壁部３Ａに固定されている。
【００２４】
そして、ハンドル３３はスプリング１０４を介してバネ受部１０５に載置された状態になっており、図１４および図１５に示す位置にガイド部３５が位置しているとき、図１および図２に示すようにハンドル３３の握り部３４は収納凹部１５０に収納されてハンドル３３は収納位置に位置している。
【００２５】
この状態から、ハンドル３３を下方に押し下げると図１６に示すようにスプリング１０４が圧縮されるとともに、中ケース３の底壁部３Ａの孔３Ｂにハンドル３３の傾斜カム面３５ｂが挿入されてコードリール２５のブレーキを解除する。このスプリング１０４の圧縮によりハンドル３３が上方に付勢されるようになっている。
【００２６】
また、ハンドル３３を図１４および図１５に示す位置（収納位置：図１および図２に示す位置）から上方へ引き出すと、ハンドル３３の台座部１０２にスプリング１０４の下端部が当接してバネ受部１０５から外れて台座部１０２にスプリング１０４が保持されるようになっている。
【００２７】
そして、図１７および図１８に示すように、その引き出しとともにスプリング１０４の上端が当接部１０６に当接してスプリング１０４が圧縮してハンドル３３を下方に付勢するようになっている。なお、図１４および図１７において傾斜カム面３５ｂは省略してある。
【００２８】
また、図２において、中ケース３の前側への延設部３ｂには凹部３６が形成されている（図１（ｂ）参照）。この凹部３６には図２に示したように集塵容器３７が嵌合載置されている。この集塵容器３７はケース本体３８を有する。このケース本体３８の下部には下方に開放する集塵室３８ａが設けられ、ケース本体３８の上部には後端に開放する負圧室３８ｂが設けられ、ケース本体３８の上部前端には負圧室３８ｂに連通する吸込口３８ｃが設けられている。この吸込口３８ｃは接続パイプ部６に連通している。
【００２９】
また、集塵容器３７は、ケース本体３８と一体の把手３９と、集塵室３８ａの下方への開口端を開閉する底蓋４０と、負圧室３８ｂ内に配設された塵埃分離手段４１を塵埃分離部として有する。この塵埃分離手段４１は、後方に向けて円錐状に縮径し且つ負圧室３８ｂへの開口４２ａを有する筒部４２と、筒部４２の内面に固着されて開口４２ａを覆っているネットフィルタ４３と、筒部４２の後端に連設されて集塵室３８ａに連通する筒部４４を有する。また、集塵室３８ａの上壁４５には集塵室３８ａと負圧室３８ｂを連通させる排気口４６が形成され、排気口４６にはネットフィルタ４７が取り付けられている。
【００３０】
更に、負圧室３８ｂの後端部内には、図６に示したような波形状のプリーツフィルタ４８が着脱可能に嵌着されている。このプリーツフィルタ４８の下端部と集塵室３８ａを形成している壁部３８ｄとの間には、プリーツフィルタ４８から掻き落とされる塵埃を捕集させる集塵空間３８ｅが形成されている。このプリーツフィルタ４８の後方（エア流の下流側）には、図２に示したようにプリーツフィルタ４８に付着した塵埃を落とすための除塵手段としての振動付与手段４９が配設されている（図９，図１０，図１２，図１３参照）。この振動付与手段４９は、格子板１３とプリーツフィルタ４８との間に配設した大径のギヤ５０を有する。このギヤ５０は、格子板１３に支持軸５１ａで回転自在に支持されたボス５１と、ボス５１と一体に且つ放射状に設けられた複数のアーム５２と、複数のアーム５２と一体に設けられた環状ギヤ部５３と、ボス５１と環状ギヤ部５３との間の中間に位置してアーム５２と一体に設けられた環状支持部５４と、アーム５２と環状支持部５４の交差部に図８の如く突設された突起５５を有する。
【００３１】
また、振動付与手段４９は、図８に示したように突起５５に外周面に基端部が圧入嵌着されたコイルスプリング５６と、コイルスプリング５６の自由端部に嵌着された係合子５７を有する（図２，図７，図９，図１０，図１２，図１３参照）。この係合子５７は、先端に向かうに従って徐々に縮径するテーパ状に形成され、先端部が球状に形成されている。また、係合子５７は、プリーツフィルタ４８の波形部の山部４８ａ，４８ａ間に浅く係合している。
【００３２】
更に、ギヤ５０は、図３に示したように回転力伝達手段５８でコードリール２５に連動している。この回転力伝達手段５８は、格子板１３の筒部１３ａ及び軸挿通孔１３ｂを貫通して一端部が前記集塵室側の風路に突出し且つ他端部が送風機室１１（電動送風機１７側）に突出する回転軸５９と、回転軸５９の一端部に固定され且つギヤ５０の環状ギヤ部５３に噛合するピニオン（連動手段である小径のギヤ）６０と、回転軸５９の他端部に回転可能に保持され且つ軸線方向に移動不能保持された駆動回転体としてのピニオン（小径のギヤ）６１を有する。このピニオン６１は、コードリール２５の駆動ギヤ２９に噛合して、コードリール２５に連動するようになっている。図３，図４において、５９ａは、回転軸５９の周面に形成された軸線と平行な方向に延びるガイド凸部である。尚、ピニオン６０は、軸挿通孔６０に嵌合するボス６０ａを有する（図３，図５参照）。
【００３３】
また、回転力伝達手段５８は、ピニオン６０と格子板１３との間に位置させて回転軸５９のガイド凸部５９ａが設けられた部分に嵌合された筒状の従動回転体６２を有する。これにより、従動回転体６２は、軸線方向に移動可能に且つ相対回転不能に回転軸５９に保持されている。更に、回転力伝達手段５８は、ピニオン６１と従動回転体６２の対向部に設けられたワンウエイクラッチ６３を有する。このワンウエイクラッチ６３は、ピニオン６１に設けられたラチェット爪６４と、従動回転体６２に設けられ且つラチェット爪６４に係合するラチェット爪６５と、ラチェット爪６５をラチェット爪６４に押し付けているコイルスプリング６６を備えている。
【００３４】
しかも、このワンウエイクラッチ６３は、電源コード３０を引き出す方向にコードリール２５を回転させるとき、コイルスプリング６６のバネ力に抗して従動回転体６２がピニオン６１から離反する方向に回転軸５９上を移動させられて、ラチェット爪６４がラチェット爪６５を乗り越えることにより、ラチェット爪６４，６５同士が相対回転するようになっている。また、ワンウエイクラッチ６３は、コードリール２５が電源コード３０を巻き取る方向に回転する際、ラチェット爪６４，６５同士が互いに係止されてピニオン６１と従動回転体６２が一体に回転する様になっている。
【００３５】
更に、回転力伝達手段５８は、回転軸５９の外周に嵌合され且つ格子板１３に当接させられて軸挿通孔１３ｂと回転軸５９との間をシールしている環状シール部材６７を有する。この環状シール部材６７と従動回転体６２との間には上述したコイルスプリング６６が介装されていて、このコイルスプリング６６は環状シール部材６７を格子板１３に押し付けていると共に、従動回転体６２のラチェット爪６５をピニオン６１のラチェット爪６５に押し付けている。この際、環状シール部材６７は、軸挿通孔１３ｂとピニオン６０のボス部６０ａとの間に跨って押し付けられることにより、回転軸５９と軸挿通孔１３ａとの間を間接的にシールしている。
［作用］
次に、この様な構成の電気掃除機の作用を説明する。
【００３６】
この様な構成においては、ブレーキアーム３２を回動付勢しているスプリングのバネ力とコードリール２５を回転付勢している回転付勢手段のバネ力とにより、ブレーキローラがブレーキアーム３２と上フランジ２７との間に楔状に食い込むことで、コードリール２５の回転がロックされている。
【００３７】
また、電源コード３０を掴んで引っ張ることにより、下ケース２から後方に引き出し可能に設けられた電源コード３０を引いて、コードリール２５をその回動付勢手段のバネ力に抗して回転させることにより、ブレーキローラがコードリール２５の回転方向に僅かに移動させられて、ブレーキローラがブレーキアーム３２と上フランジ２７との間に楔状に食い込んだ状態が解除され、ブレーキローラの上フランジ２７への圧接状態が解除される。
【００３８】
この状態で更に電源コード３０を引っ張ることにより、電源コード３０を引き出す方向にコードリール２５を回転させると、この回転に伴い駆動ギヤ２９がピニオン６１を回転させる。この回転に伴い、ピニオン６１のラチェット爪６４が従動回転体６２のラチェット爪６５を乗り越えるように作用して、従動回転体６２がコイルスプリング６６のバネ力に抗してピニオン６１から離反する方向に回転軸５９上を移動させられ、ラチェット爪６４，６５同士が相対回転する。
【００３９】
これにより、電源コード３０の引き出しに際しては、電源コード３０を巻き取る方向にコードリール２５を回転付勢している渦巻バネ等の回転付勢手段によるバネ力のみが抗力として電源コード３０に作用している状態となる。従って、電源コード３０の引き出し操作は軽い力で行うことができる。
【００４０】
この様にして電源コード３０をある程度引き出した後、電源コード３０から引き出し力を解除すると、コードリール２５が回転付勢手段により電源コード３０を巻き取る方向に僅かに回転して、ブレーキローラがブレーキアーム３２と上フランジ２７との間に楔状に食い込んでロックし、コードリール２５の回転を停止させ、電源コード３０を引き出した状態にする。この電源コード３０のプラグ３０ａを図示しない商用電源のコンセントに差し込むことで、電動送風機１７に駆動電力を供給可能な状態となる。
【００４１】
この状態で、手元操作パイプ８の操作パネル８ａを操作して、電動送風機１７を駆動させると、電動送風機１７の吸込負圧が負圧室２１，連通風路１６ａ，ギヤ５０のアーム５２間及びプリーツフィルタ４８を介して負圧室３８ｂに作用する。そして、この負圧室３８ｂに作用する吸込負圧は、ネットフィルタ４３を介して吸込口３８ｃに作用すると共に、ネットフィルタ４７，集塵室３８ａを介して吸込口３８ｃに作用する。この吸込口３８ｃに作用する吸込負圧は、集塵ホース７，手元操作パイプ８及び延長パイプ９を介して吸込口体１０に作用する。
【００４２】
これにより、吸込口体１０に塵埃を含むエア（空気）が吸い込まれて、この吸い込まれたエア及び塵埃は、延長パイプ９，手元操作パイプ８及び集塵ホース７を介して吸込口３８ｃに吸い込まれた後、筒部４２内に流入する。
【００４３】
この吸い込まれるエアの一部はネットフィルタ４３を透過して負圧室３８ｂに流入する。この際、エアに含まれる軽い塵埃はネットフィルタ４３に捕捉される。一方、筒部４２内に流入するエアに含まれる塵埃は、大半が慣性力により残りのエアと共に直進した後、筒部４４を介して集塵室３８ａ内に流下させられる。そして、集塵室内３８ａ内に流入したエアは、旋回流となり集塵室３８ａに流入する塵埃を遠心力（慣性力）により分離すると共に集塵室３８ａの底部側に圧縮させる。この塵埃を圧縮したエアは、ネットフィルタ４７を透過して負圧室３８ｂ内に流入する。
【００４４】
この様な状態で、ネットフィルタ４３にある程度の塵埃が捕捉され、ネットフィルタ４３を透過して負圧室３８ｂ内に流入するエアの量が減少すると、筒部４４を介して集塵室３８ａ内に流入するエアの量が増大する。このエア流れは、ネットフィルタ４３に付着してある程度塊となった塵埃をネットフィルタ４３から剥離し、ネットフィルタ４３の目詰まり状態を解消する。この剥離された塵埃は集塵室３８ａ内に捕集される。
【００４５】
この負圧室３８ｂ内に流入したエアは、プリーツフィルタ４８をギヤ５０側に透過した後，ギヤ５０のアーム５２間，連通風路１６ａ及び負圧室２１を介して電動送風機１７の遠心ファン部１８に設けたエア吸込口１８ａに吸い込まれる。このエアがプリーツフィルタ４８を透過する際、プリーツフィルタ４８には微細な塵埃及びこれより大きい塵埃が多少捕捉されることになる。そして、遠心ファン部１８に吸い込まれたエアは、モータ部１９内を流れて内部を冷却し、排気口１９ａから送風機室１１内に排気され、上ケース３の側壁３ａに設けた多数の排気孔１４から掃除機本体１外の大気に排気される。
【００４６】
この様にして清掃が終了後は、操作パネル８ａを操作して電動送風機１７を停止させると共に、電源コード３０を図示しないコンセントから取り外して、ハンドル３３を下方に押し下げると、ハンドル３３に設けた傾斜カム面１５ｂがブレーキアーム３２を支持軸２３ａを中心にスプリング（図示せず）のバネ力に抗して格子壁１３側に回動させて、図示しないブレーキローラを上フランジ２７から離反させ、コードリール２５のロック状態を解除する。
【００４７】
これにより、コードリール２５は、回動付勢手段により電源コード３０を巻き取る方向に回転させられ、電源コード３０をコードリール２５に捲回する。この際、ラチェット爪６４，６５同士が互いに係止されてピニオン６１と従動回転体６２が一体に回転する。
【００４８】
この従動回転体６２の回転は、回転軸５９，ピニオン６０を介してギヤ５３に伝達され、ギヤ５３が支持軸５１ａを中心に回転させられる。このギヤ５３の回転に伴い、係合子５７がコイルスプリング５６を撓めるようにしてプリーツフィルタ４８の山部４８ａを乗り越えながら移動し、プリーツフィルタ４８に振動が発生させられる。この振動により、プリーツフィルタ４８の前面側に捕捉され付着した塵埃が掻き落とされ様に下方に落下して集塵空間３８ｅに捕集される。
【００４９】
尚、この発明の実施の形態では、フィルタ（プリーツフィルタ４８）に捕捉された塵埃を落下させる除塵手段として回転によりフィルタ（プリーツフィルタ４８）に振動を付与する振動付与手段４９を用いた例を示したが、必ずしもこれに限定されるものではない。
【００５０】
例えばフィルタ（プリーツフィルタ４８）の前面に接触して回転するブラシ（塵埃掻き落とし部材）を除塵手段として設けて、このブラシにコードリール２５からの回転を回転力伝達手段５８により伝達させて、このブラシを回転させることにより、ブラシによりフィルタ（プリーツフィルタ４８）の前面に付着した塵埃を回転するブラシするブラシにより直接掻き落とすようにしても良い。
【００５１】
また、このブラシは上下動してフィルタ前面の塵埃を掻き落とすように構成しても良い。このフィルタが波形状のプリーツフィルタである場合には、ブラシがプリーツフィルタの波形状の山や谷まで接触して塵埃を掻き落とすことができる。
【００５２】
ところで、掃除機本体１を持ち運ぶ際、ハンドル３３を収納凹部１５０から引き出すが、この引き出しのとき、ハンドル３３の台座部１０２にスプリング１０４の下端部が当接してバネ受部１０５から外れて台座部１０２にスプリング１０４が保持される。そして、図１７および図１８に示すように、その引き出しとともにスプリング１０４の上端が当接部１０６に当接してスプリング１０４が圧縮していく。このスプリング１０４の圧縮によりハンドル３３は下方に付勢される。
【００５３】
ハンドル３３の握り部３４から手を離すと、スプリング１０４の付勢力によりハンドル３３は下方に移動し、ハンドル３３の握り部３４が収納凹部１５０に強制的に収納されていく。
【００５４】
ハンドル３３の握り部３４が収納凹部１５０に収納されると、図１４および図１５に示すように、スプリング１０４の下端部がバネ受部１０５に当接してハンドル３３の台座部１０２から外れて、スプリング１０４がバネ受部１０５に保持される。また、ハンドル３３のリブ１０３の下端部１０３Ａがスプリング１０４の上端に当接し、ハンドル３３がスプリング１０４を介してバネ受部１０５に載置される。
【００５５】
この際、ハンドル３３の慣性力によりハンドル３３は図１４および図１５に示す位置より下に下がる。このとき、ハンドル３３のリブ１０３の下端部１０３Ａがスプリング１０４の上端を下方に押していくので、スプリング１０４が圧縮されていく。このスプリング１０４の圧縮により、ハンドル３３の握り部３４が収納凹部１５０に強制的に収納される際の衝撃を吸収し、その収納時の衝撃音の発生や、その衝撃によるハンドル３３の握り部３４やガイド部３５や中ケース３の底壁部（本体）３Ａの破損を未然に防止することができる。
【００５６】
掃除機本体１から引き出された電源コード３０を巻き取るには、図１および図２に示すハンドル３３の握り部３４を下方に押す。ハンドル３３は、図１４および図１５に示す位置から所定量だけ下方に移動すると、図１６に示すようにスプリング１０４が圧縮されるとともに、中ケース３の底壁部３Ａの孔３Ｂにハンドル３３の傾斜カム面３５ｂが挿入されてコードリール２５のブレーキが解除され、電源コード３０がコードリール２５に巻き取られていく。
【００５７】
そして、ハンドル３３の握り部３４から指を離せば、圧縮されたスプリング１０４の付勢力により、ハンドル３３が上方に移動して図１および図２（図１４および図１５）に示す元の位置へ戻る。すなわち、スプリング１０４が元の長さに伸長してハンドル３３を支えることになる。
【００５８】
このように、ハンドル３３を引き出した際や押し下げた際に、スプリング１０４が圧縮されていくので、スプリング１０４がヘタってしまうことがなく、このためスプリング１０４の寿命を延ばすことができる。
【００５９】
【発明の効果】
以上説明したように、この発明によれば、スプリングのヘタリやハンドルの破損や本体の破損などの防止を図ることができる。
【図面の簡単な説明】
【図１】（ａ）はこの発明に係る電気掃除機の概略斜視図、（ｂ）は（ａ）の掃除機本体の集塵容器及びカバーを取り外した状態の拡大斜視図である。
【図２】図１（ａ）の掃除機本体の断面図である。
【図３】図２の回転力伝達手段の拡大説明図である。
【図４】図３のＡ１−Ａ１線に沿う断面図である。
【図５】図３のＡ２−Ａ２線に沿う断面図である。
【図６】図２のプリーツフィルタの斜視図である。
【図７】図２のプリーツフィルタと振動付与手段（除塵手段）の係合子との関係を示す部分拡大斜視図である。
【図８】図２のプリーツフィルタと振動付与手段の係合子との関係を示す部分拡大断面図である。
【図９】図２のプリーツフィルタへの振動付与手段を斜め前側から見た斜視図である。
【図１０】図２の振動付与手段とコードリールの関係を示す斜視図である。
【図１１】図１０の振動付与手段とコードリールの関係を後側から見た斜視図である。
【図１２】図１０の振動付与手段とコードリールの関係を斜め後側から見た斜視図である。
【図１３】図１０の振動付与手段とコードリール等の分解斜視図である。
【図１４】ハンドルがスプリングを介してバネ受部に載置されている状態を示した説明図である。
【図１５】一部を省略した図１４の右側面図である。
【図１６】ハンドルが押し下げられた状態を示した説明図である。
【図１７】ハンドルが引き出された状態を示した説明図である。
【図１８】一部を省略した図１７の右側面図である。
【図１９】従来の電気掃除機本体を示した平面図である。
【図２０】図１９の部分拡大断面図である。
【符号の説明】
１                掃除機本体
３３            ハンドル
１０４        スプリング
２０２        収納凹部
【図１】
2004180731.tif 000003
【図２】
2004180731.tif 000004
【図３】
2004180731.tif 000005
【図４】
2004180731.tif 000006
【図５】
2004180731.tif 000007
【図６】
2004180731.tif 000008
【図７】
2004180731.tif 000009
【図８】
2004180731.tif 000010
【図９】
2004180731.tif 000011
【図１０】
2004180731.tif 000012
【図１１】
2004180731.tif 000013
【図１２】
2004180731.tif 000014
【図１３】
2004180731.tif 000015
【図１４】
2004180731.tif 000016
【図１５】
2004180731.tif 000017
【図１６】
2004180731.tif 000018
【図１７】
2004180731.tif 000019
【図１８】
2004180731.tif 000020
【図１９】
2004180731.tif 000021
【図２０】
2004180731.tif 000022